(57)【要約】【課題】  座の下方に、着座時の座の中央部の沈み込みを許容するための空間を体裁よく確保することができるとともに、座と背凭れが連動して円滑に移動できるようにしたリクライニング椅子を提供する。【解決手段】  座１４の前部を、支基６の前部より両側方に向かって延出するとともに、先端部上面が支基６より上方に位置するようにした左右１対の腕部６ａの先端部で支持し、かつ座１４の後部を、左右１対の背凭れ支持杆１０における枢軸８より若干後方の部分に左右方向を向く軸１６をもって連結することにより、座１４の下方に、着座時の座１４の中央部の沈み込みを許容するための空間２４を体裁よく確保することができるとともに、座１４と背凭れ９が連動して円滑に移動することができるようにする。【選択図】        図２
2006087583.tif 000002
【特許請求の範囲】
【請求項１】
脚によって支持された支基の前部に、両側方に向かって延出するとともに、先端部上面が支基より上方に位置するようにした左右１対の腕部を設け、前記支基に、背凭れを支持する左右１対の背凭れ支持杆における前方を向く下部の前端部を、左右方向を向く枢軸をもって枢着するとともに、前記背凭れ支持杆を、背凭れが起立する方向に向けて付勢し、座の後部を、前記両背凭れ支持杆における枢軸より若干後方の部分に左右方向を向く軸をもって連結し、かつ前記座の前部下面を、前記両腕部の先端部上面に、前後方向に摺動可能として支持させることにより、背凭れの後傾に連動して、座が後下方に移動するとともに、前記座の下方で、かつ支基の上方に、座の下面中央部が下方に撓むことができる空所が形成されるようにして、座を支持したことを特徴とするリクライニング椅子。
【請求項２】
両背凭れ支持杆における枢軸より若干後方の部分に、上方を向く起立腕を設け、その上部に座の後部を、左右方向を向く軸をもって連結したことを特徴とする請求項１記載のリクライニング椅子。
【請求項３】
左右の腕部を、支基の前部から、両側斜め上方に向かって延出させたことを特徴とする請求項１または２記載のリクライニング椅子。
【請求項４】
支基の前部を、前上方に向かって延出する形状としたことを特徴とする請求項１〜３のいずれかに記載のリクライニング椅子。
【請求項５】
左右の腕部の先端部上面を、後下方に向かって傾斜する傾斜受け面とし、この傾斜受け面に沿って、座の前部を摺動可能に支持するようにしたことを特徴とする請求項１〜４のいずれかに記載のリクライニング椅子。
【請求項６】
座を、平面視ほぼ方形枠状の座フレームに、伸縮性を有するシート材を張設して形成したことを特徴とする請求項１〜５のいずれかに記載のリクライニング椅子。
【発明の詳細な説明】
【技術分野】
【０００１】
本発明は、背凭れの後傾に連動して、座が後下方に移動するようにしたリクライニング椅子に関する。
【背景技術】
【０００２】
従来のこの種のリクライニング椅子には、座を支持する座受けフレームの後部を、背凭れを支持する背凭れ支持杆における支基への枢着部より若干後方の部分に連結し、かつ座受けフレームの前部を、支基の前部側面に設けた水平または後下方を向く長孔に摺動自在に貫通した左右方向を向く軸の両端部をもって支持するようにしたものがある（例えば特許文献１参照）。
【０００３】
このようなリクライニング椅子によると、背凭れの後傾に連動して、座が後下方に移動するので、着座者は、局所に無理な力が掛かることなく、自然な動きで、執務姿勢から安楽姿勢に、またはその逆方向に、楽に移動することができる。
【特許文献１】特公平２−２４５２７号公報
【発明の開示】
【発明が解決しようとする課題】
【０００４】
しかし、上述のような従来のリクライニング椅子は、座が、硬質の座板の上にクッション体を載せ、さらにその表面を表皮材で覆ったタイプのもののように、着座時に座の下面が変形することがないことを前提として製作されているため、近年使用されるようになってきているメッシュ張りの座のように、平面視方形枠状の座フレームに、布、特にメッシュ地等を張設した座を装着すると、着座時に、座の中央部のメッシュ地等が沈み込んで、その下端が支基に当接し、着座者に不快感を与えるおそれがある。
【０００５】
本発明は、従来の技術が有する上記のような問題点に鑑み、座の下方に、着座時の座の中央部の沈み込みを許容するための空間を体裁よく確保することができるとともに、座と背凭れが連動して円滑に移動できるようにしたリクライニング椅子を提供することを目的としている。
【課題を解決するための手段】
【０００６】
本発明によると、上記課題は次のようにして解決される。
(１)  脚によって支持された支基の前部に、両側方に向かって延出するとともに、先端部上面が支基より上方に位置するようにした左右１対の腕部を設け、前記支基に、背凭れを支持する左右１対の背凭れ支持杆における前方を向く下部の前端部を、左右方向を向く枢軸をもって枢着するとともに、前記背凭れ支持杆を、背凭れが起立する方向に向けて付勢し、座の後部を、前記両背凭れ支持杆における枢軸より若干後方の部分に左右方向を向く軸をもって連結し、かつ前記座の前部下面を、前記両腕部の先端部上面に、前後方向に摺動可能として支持させることにより、背凭れの後傾に連動して、座が後下方に移動するとともに、前記座の下方で、かつ支基の上方に、座の下面中央部が下方に撓むことができる空所が形成されるようにして、座を支持する。
【０００７】
(２)  上記(１)項において、両背凭れ支持杆における枢軸より若干後方の部分に、上方を向く起立腕を設け、その上部に座の後部を、左右方向を向く軸をもって連結する。
【０００８】
(３)  上記(１)または(２)項において、左右の腕部を、支基の前部から、両側斜め上方に向かって延出させる。
【０００９】
(４)  上記(１)〜(３)項のいずれかにおいて、支基の前部を、前上方に向かって延出する形状とする。
【００１０】
(５)  上記(１)〜(４)項のいずれかにおいて、左右の腕部の先端部上面を、後下方に向かって傾斜する傾斜受け面とし、この傾斜受け面に沿って、座の前部を摺動可能に支持する。
【００１１】
(６)  上記(１)〜(５)項のいずれかにおいて、座を、平面視ほぼ方形枠状の座フレームに、伸縮性を有するシート材を張設して形成する。
【発明の効果】
【００１２】
本発明によると、次のような効果を奏することができる。
(１)  請求項１記載の発明によると、座の前部を、支基の前部より両側方に向かって延出するとともに、先端部上面が支基より上方に位置するようにした左右１対の腕部の先端部で支持し、かつ座の後部を、左右１対の背凭れ支持杆における枢軸より若干後方の部分に左右方向を向く軸をもって連結したので、座の下方に、着座時の座の中央部の沈み込みを許容するための空間を体裁よく確保することができるとともに、座と背凭れが連動して円滑に移動することができる。
【００１３】
(２)  請求項２記載の発明によると、両背凭れ支持杆に起立腕を設け、その上部に座の後部を連結したことにより、座の後部を、支基の後部より高く支持して、その間に大きな空間を形成することができる。
【００１４】
(３)  請求項３記載の発明によると、座の前部を、両側斜め上方に向かって延出する左右の腕部の先端部により支持したことにより、座の前部中央の下方に、体裁よく空間を形成することができる。
【００１５】
(４)  請求項４記載の発明によると、支基の前部を、前上方に向かって延出させたことにより、座の中央の下方に空間を形成しつつ、座の前方および側方から見たときの体裁をよくすることができる。
【００１６】
(５)  請求項５記載の発明によると、座の前部下面と腕部の先端部上面とを面接触させることができるので、座の前部に掛かる荷重を腕部を介して支基により安定して受支することができるとともに、耐摩耗性および耐久性を向上することができる。また、座と背凭れが連動して円滑に移動することができる
【００１７】
(６)  請求項６記載の発明によると、着座時にシート材が伸長して、着座者に快適な着座感を付与することができるとともに、請求項１〜５に記載の発明により、着座時の座の中央部の沈み込みを許容するための空間が体裁よく確保されるので、着座時に、沈み込んだシートが支基等に当接して、着座者に不快感を与えるといったおそれをなくすことができる。
【発明を実施するための最良の形態】
【００１８】
以下、本発明の一実施形態を、添付図面を参照して説明する。
図１〜図３に示すように、このリクライニング椅子は、先端部にキャスタ(１)が設けられた放射状をなす５本の脚杆(２)を有する脚体(３)を備えている。脚体(３)の中央には、ガススプリング(４)を備える伸縮式の脚柱(５)が立設されており、脚柱(５)の上端には、支基(６)の後部が固着されている。
【００１９】
支基(６)は、前上方に向かって延出する前半部の上面が開口する平面視菱形のほぼ中空箱状をなし、上面の開口部は、着脱可能な上部カバー(７)により覆われている。支基(６)の前部両側面には、左右両側方に向かって斜め上方に延出するとともに、先端部上面が支基(６)より上方に位置するようにした左右１対の腕部(6a)(6a)が一体的に形成されている。
【００２０】
支基(６)の前後方向のほぼ中央には、左右方向を向く六角軸よりなる枢軸(８)が貫通しており、支基(６)より両側方に突出する枢軸(８)の両端部には、背凭れ(９)を支持する左右１対の背凭れ支持杆(10)(10)における前方を向く下部の前端部に形成された左右方向を向く筒部(10a)(10a)が固嵌され、枢軸(８)と背凭れ支持杆(10)(10)と背凭れ(９)とは、枢軸(８)の軸線を中心として、互いに一体となって支基(６)に対して回動しうるようになっている。
【００２１】
支基(６)の内部には、枢軸(８)を、図２おける反時計回り方向に付勢するゴムトーションユニット(11)(図３参照)とその付勢力調節手段(図示略)とが、また支基(６)の前部下面の中央には、ゴムトーションユニット(11)と連係されて、ゴムトーションユニット(11)の付勢力を補助するガススプリングユニット(12)がそれぞれ設けられ、これらによって、背凭れ(９)を起立する方向に向けて付勢する付勢手段が形成されている。
しかし、ゴムトーションユニット(11)およびガススプリングユニット(13)は、本発明には直接関係しないので、その詳細な図示および説明は省略する。
【００２２】
ゴムトーションユニット(11)の下面は、支基(６)の下面に着脱可能に設けられた左右１対の下部カバー(13)(13)により覆われている。
【００２３】
図３〜図６に示すように、左右の背凭れ支持杆(10)(10)における枢軸(８)より若干後方の部分には、短寸の起立腕(10b)(10b)が上向き突設されており、各起立腕(10b)の上端部には、座(14)の両側部を支持する前後方向を向く左右１対の座受けフレーム(15)(15)の後端部が、左右方向を向く軸(16)をもって、それぞれ連結されている。
【００２４】
各座受けフレーム(15)の前部は、上面が開口する箱状をなして下方に延出し、その下端面が後下方に向かって傾斜する傾斜面(17)をなし、かつその傾斜面(17)の後端に連続して、後上方を向く起立壁(18)が形成されている。
各傾斜面(17)は、支基(６)における腕部(6a)の先端部上面に形成された後下方に向かって傾斜する傾斜受け面(19)に前後方向に摺動自在に載置されている。
【００２５】
支基(６)における腕部(6a)の先端部と、座受けフレーム(15)の前部との間には、傾斜面(17)が傾斜受け面(19)から上方に離脱するのを阻止する外れ止め手段(20)が設けられている。
この例では、外れ止め手段(20)は、傾斜面(17)に設けた前後方向を向く長孔(21)と、傾斜受け面(19)に突設され、かつ長孔(21)に摺動自在に嵌合されるとともに、長孔(21)の幅より大きい拡大頭部(22a)を有する有頭軸(22)とを備えるものとしてあるが、長孔(21)を傾斜受け面(19)に設け、かつ有頭軸(22)を傾斜面(17)に設けて実施してもよい。また、図示の例では、有頭軸(22)の軸部に相当する部分を、前後方向を向く垂直板状としてあるが、これを円形軸としてもよい。
【００２６】
長孔(21)は、傾斜面(17)の前端近傍から後方に延び、後端が起立壁(18)より後方に開口している。起立壁(18)には、長孔(21)と連通し、かつ傾斜受け面に(19)突設した有頭軸(22)の拡大頭部(22a)が通過可能の開口(23)が設けられている。
【００２７】
したがって、開口(23)より有頭軸(22)を導入させつつ、傾斜面(17)を傾斜受け面(19)に沿って後方に摺動させ、かつ各座受けフレーム(15)の後端部を、軸(16)をもって各背凭れ支持杆(10)に連結することにより、各座受けフレーム(15)を簡単かつ迅速に、支基(６)および背凭れ支持杆(10)に組み付けることができる。
【００２８】
組み付け後には、背凭れ(９)が起立状態から後傾させられるのに連動して、各座受けフレーム(15)およびそれによって支持された座(14)は、図４に示す状態から、図５に示すように、傾斜面(17)が傾斜受け面(19)に沿って摺動しつつ、後下方に向かって移動させられる。
【００２９】
このときの背凭れ(９)と座(14)の動きにより、着座者の背と大腿部との間、および大腿部と下腿部との間の角度が自然に広がり、かつ下腿部が、接床した足の踝を中心として、緩やかに後傾し、着座者に無理のない快適な移動感をもたらすことができる。
また、背凭れ(９)を後傾状態から起立状態に移動させた際には、座(14)は上記と逆に移動し、このときにも、着座者に無理のない快適な移動感を与えることができる。
【００３０】
なお、傾斜面(17)と傾斜受け面(19)とを、側方から見て完全な直線とすると、背凭れ(９)の後傾に連動して、座(14)が後下方に移動する際に、面接触から線接触に変わることがあるが、それらが常に広い範囲で面接触するように、傾斜面(17)と傾斜受け面(19)とを、緩やかな曲面とすることが望ましい。
【００３１】
座(14)は、平面視ほぼ方形枠状の座フレーム(14a)に、例えば伸縮性繊維を用いたメッシュ地、平織り地等の布地、または合成樹脂製フィルム等からなる伸縮性を有するシート材(14b)を張設して形成したものよりなり、着座者が着座したとき、シート材(14b)が伸長して、座面中央部が着座者の臀部に沿って下方に凹入し、シート材(14b)の中央部が沈み込むことにより、着座者に快適な着座感を付与することができるようになっている。
【００３２】
本発明によると、着座時に、このような座(14)の中央部が沈み込むことができるようにするため、左右１対の腕部(6a)(6a)の先端部上面と両背凭れ支持杆(10)(10)における起立腕(10b)(10b)とにより座フレーム(14a)のほぼ四隅を、支基(６)より高く持ち上げて支持し、もって、座(14)の中央部下面と支基(６)の上面との間に、座(14)の下面中央部が下方に撓むことができる空所(24)を形成してある。
【００３３】
背凭れ(９)も、座(14)に合わせて、正面視ほぼ方形枠状の背凭れフレーム(9a)に、上記シート材(14b)と同様の材質製の伸縮性を有するシート材(9b)を張設して形成されている。
【００３４】
座(14)は、左右１対の座受けフレーム(15)(15)に、前後位置調節可能として装着されているが、そのための具体的な構成は、本発明に直接関係しないので、その詳細な図示および説明は省略する。
なお、座(14)の前後位置調節を行わないものにおいては、座(14)の後部を、軸(16)をもって直接左右の背凭れ支持杆(10)(10)における起立腕(10b)(10b)の上部に連結し、かつ座(14)の前部下面を、直接左右の腕部(6a)(6a)の先端部上面に前後方向に摺動可能として装着してもよい。
【００３５】
各背凭れ支持杆(10)には、肘掛け(24)が設けられているが、これも本発明に直接関係しないので、その詳細な図示および説明は省略する。
【００３６】
以上から明らかなように、この実施形態によると、座(14)の前部を、支基(６)の前部より両側方に向かって延出するとともに、先端部上面が支基(６)より上方に位置するようにした左右１対の腕部(6a)(6a)の先端部で支持し、かつ座(14)の後部を、左右１対の背凭れ支持杆(10)(10)における枢軸より若干後方の部分に左右方向を向く軸(16)をもって連結したので、座(14)の下方に、着座時の座の中央部の沈み込みを許容するための空間(24)を体裁よく確保することができるとともに、座(14)と背凭れ(９)が連動して円滑に移動することができる。
【図面の簡単な説明】
【００３７】
【図１】本発明の一実施形態の正面図である。
【図２】同じく、側面図である。
【図３】同じく、主要部材の分解斜視図である。
【図４】同じく、背凭れを起立位置としたときの要部の拡大側面図である。
【図５】同じく、背凭れを後傾させたときの要部の拡大側面図である。
【図６】同じく、図４のＶI−ＶI線に沿う部分平面図である。
【符号の説明】
【００３８】
(１)キャスタ
(２)脚杆
(３)脚体
(４)ガススプリング
(５)脚柱
(６)支基
(6a)腕部
(７)上部カバー
(８)枢軸
(９)背凭れ
(9a)背凭れフレーム
(9b)シート材
(10)背凭れ支持杆
(10a)筒部
(10b)起立腕
(11)ゴムトーションユニット
(12)ガススプリングユニット
(13)下部カバー
(14)座
(14a)座フレーム
(14b)シート材
(15)座受けフレーム
(16)軸
(17)傾斜面
(18)起立壁
(19)傾斜受け面
(20)外れ止め手段
(21)長孔
(22)有頭軸
(22a)拡大頭部
(23)開口
(24)空所
(25)肘掛け
【図１】
2006087583.tif 000003
【図２】
2006087583.tif 000004
【図３】
2006087583.tif 000005
【図４】
2006087583.tif 000006
【図５】
2006087583.tif 000007
【図６】
2006087583.tif 000008